(57)【要約】【課題】  ゴミ袋の開口縁を柔軟に支持する。複数の袋をいずれも開口を開いて併設可。ゴミ袋を保持して運搬可能。コンパクトな収納形状。【解決手段】  第１基枠１；それに枢着され、それと近接する「畳み位置」と、傾斜起立して第１基枠１を傾斜起立姿勢に支える「支持位置」に回動できる第２基枠２；ゴミ袋の開口縁部の外表面を引っ掛けるための第１掛け部３１、および、第１掛け部３１に対向してゴミ袋の開口縁部の内表面に圧接する弾力性がある圧接部材３２，３３を含み、第１基枠１の上部に装着された、袋口支持機構３；上部に、ゴミ袋の開口縁部の外表面を引っ掛けるための第２掛け部４１があり、第１基枠１の下部に結合して、第１基枠１との間にゴミ袋を受け入れる空間を置いて、第１基枠１に近づく方向と離れる方向に傾動可に、第１基枠１で起立支持される支持幹４；および、支持幹４を第１基枠１から離れる方向に強制する回動強制部材５；を備える。【選択図】  図１
2011020799.tif 000002
【特許請求の範囲】
【請求項１】
第１基枠に枢着され、第１基枠と近接する「畳み位置」と、傾斜起立して第１基枠を傾斜起立姿勢に支える「支持位置」に回動できる第２基枠；
袋の開口縁部の外表面を引っ掛けるための第１掛け部、および、該第１掛け部に対向して前記袋の開口縁部の内表面に圧接する弾力性がある圧接部材を含み、第１基枠の上部に装着された、袋口支持機構；
上部に、袋の開口縁部の外表面を引っ掛けるための第２掛け部があり、第１基枠の下部に結合して、第１基枠との間に前記袋を受け入れる空間を置いて、第１基枠に近づく方向と離れる方向に傾動可に、第１基枠で起立支持される支持幹；および、
前記支持幹を第１基枠から離れる方向に強制する回動強制部材；
を備える、袋支持スタンド。
【請求項２】
前記弾力性がある圧接部材は、第１掛け部に近づく方向に突出するように湾曲した袋押さえ板および該袋押さえ板の表面にあって第１掛け部に掛けられた袋縁部に圧接する弾力部材でなる、請求項１に記載の袋支持スタンド。
【請求項３】
袋口支持機構は更に、前記圧接部材に対する第１掛け部の開き間隔を増減する圧接力調整手段を含む；請求項１又は２に記載の袋支持スタンド。
【請求項４】
第１掛け部は、支持幹の傾動と直交する水平方向に並んだ複数個である；請求項１乃至３のいずれか１つに記載の袋支持スタンド。
【請求項５】
第１基枠の裏側で第１基枠で支持された、第２の袋口支持機構を備える；請求項１乃至４のいずれか１つに記載の袋支持スタンド。
【請求項６】
第１基枠に、支持幹の傾動を案内しかつ傾動を所定範囲内に制限する案内穴を設け、該穴内に該傾動の中心となるピンを設け；
支持幹の下端部に、下端面の開口に連なるピン受け穴を設けて、該下端面の開口を通して該ピン受け穴に前記ピンを挿脱するように支持幹を下げ，上げすることにより、第１基枠に支持幹を着脱する構成とした；請求項１乃至５のいずれか１つに記載の袋支持スタンド。
【請求項７】
第１基枠および第２基枠の下端部間に、袋の底を下支持する網体を掛け渡した；請求項１乃至６のいずれか１つに記載の袋支持スタンド。
【請求項８】
第１基枠および第２基枠の下端にそれぞれ１対のキャスタを装備した；請求項１乃至７のいずれか１つに記載の袋支持スタンド。
【請求項９】
第２基枠の下端に装備した１対のキャスタは、それぞれロックレバー付きのキャスタである；請求項１乃至８のいずれか１つに記載の袋支持スタンド。
【発明の詳細な説明】
【技術分野】
【０００１】
本発明は、袋を開けて支持するスタンドに関し、特に、例えば家庭用のゴミ袋など、比較的に大きい袋を、開口を上向きにして広げて支持するスタンドに関する。このスタンドは例えば、台所でゴミ袋を開いて支持する用途、イベント会場のゴミ入れ、庭，道路，公園などで清掃によって集めたゴミや落ち葉をゴミ袋に入れる用途、ならびに、工事現場，建設現場あるいは建築物解体現場で廃棄物を袋に入れる用途に用いることができる。また、ゴミ以外のもの、例えば穀物，飼料，肥料およびその他の、粉体，粒体，部品，製品などの袋入れ作業に用いることができる。
【背景技術】
【０００２】
特許文献１には、一対の矩形パネルを対向配置してＸアームで相対的に接近，離反するように結合し、各矩形パネルの上端部に、ゴミ袋のつり手を差し込む多数のスリットを刻んだ、ごみ袋の支持台、が記載されている。特許文献２には、キャスタ付き台車にハンドル幹を立て、それにコの字型の、ゴミ袋の開口縁を支持する枠体を装着して、該枠体につるしたクリップでゴミ袋の開口縁を掴む、手押し式各種ごみ袋台車、が記載されている。特許文献３には、矩形フレーム基台の一辺にπ型（鳥居型）の第１脚を立て、対向辺に同様な第２脚を対向して立ててしかも傾動可に矩形フレーム基台で支持し、第１脚の上端にゴミ袋の開口を４角形にして保持するための一対のフック付き棒の端部のリングを吊り下げ支持し、先端のフックを第２脚の上端に係合させることによって、第１，２脚の上端とともに４角形のゴミ袋支持型を構成して、ゴミ袋の開口縁を洗濯ばさみでフック付き棒に固定する、ゴミ袋の支持スタンド、が記載されている。
【先行技術文献】
【特許文献】
【０００３】
【特許文献１】特開２００１−４８３０２号公報
【特許文献２】実用新案第３０８９７１８号公報
【特許文献３】特開２００６−７６６９４号公報。
【発明の概要】
【発明が解決しようとする課題】
【０００４】
支持したゴミ袋にゴミを入れるとき、手で開口を広げることがあり、また、入れるものが開口縁に当たって開口縁に力が加わることがある。特許文献１〜３のいずれでも、このような場合に、袋の開口縁がスタンドの支持部から外れるとか、破れてしまうことが考えられる。一方、ゴミを分別収集するときは複数のゴミ袋を開口を並べて支持しておくのが好ましい。また、庭，道路，公園，工事現場，建設現場あるいは建築物解体現場などで大量のゴミを次々と袋を取り替えて収納する場合、多数のゴミ袋を重ね保持しておき、袋の交換を簡易にすばやくおこなうのが好ましい。
【０００５】
本発明は、袋の開口縁を柔軟に支持することを第１の目的とし、複数の袋をいずれも開口を開いて併設可とすることを第２の目的とし、袋を保持して運搬可能にすることを第３の目的とし、袋支持スタンドの収納形状をコンパクトにすることを第４の目的とする。
【課題を解決するための手段】
【０００６】
（１）第１基枠(1)；
第１基枠(1)に枢着され、第１基枠(1)と近接する「畳み位置」と、傾斜起立して第１基枠(1)を傾斜起立姿勢に支える「支持位置」に回動できる第２基枠(2)；
袋の開口縁部の外表面を引っ掛けるための第１掛け部(31)、および、該第１掛け部(31)に対向して前記袋の開口縁部の内表面に圧接する弾力性がある圧接部材(32,33)を含み、第１基枠(1)の上部に装着された、袋口支持機構(3)；
上部に、袋の開口縁部の外表面を引っ掛けるための第２掛け部(41)があり、第１基枠(1)の下部に結合して、第１基枠(1)との間に前記袋を受け入れる空間を置いて、第１基枠(1)に近づく方向と離れる方向に傾動可に、第１基枠(1)で起立支持される支持幹(4)；および、
前記支持幹(4)を第１基枠(1)から離れる方向に強制する回動強制部材(5)；
を備える、袋支持スタンド。
【０００７】
なお、理解を容易にするために括弧内には、図面に示し後述する実施例の対応要素の符号を、例示として参考までに付記した。以下も同様である。
【発明の効果】
【０００８】
第２基枠(2)を「支持位置」（図１〜図４）に回動させると、袋支持スタンドは袋を支持できる姿勢となる。袋支持スタンドをこの姿勢にして、袋を底側から、第１基枠(1)と支持幹(4)との間の空間に降ろし、上側の開口縁を袋口支持機構(3)の第１掛け部(31)と圧接部材(32,33)の間に差し込んで下方に下げることにより、開口縁の一部が袋口支持機構(3)で挟持される。この挟持部と対向する開口縁部を、支持幹(4)に力を加えてそれを第１基枠(1)に近づく方向に押してから第２掛け部(41)に被せて下方に下げることにより、該対向開口縁部が第２掛け部(41)に引っ掛かる。すなわち第２掛け部(41)で支持される。回動強制部材(5)が、支持幹(4)を第１基枠(1)から離れる方向に強制するので、袋の開口縁部が、第１掛け部(31)と第２掛け部(41)で、略平行四辺形又は２等辺３角形状に支持され、この形状を維持するように、回動強制部材(5)の弾力で引っ張られている。
【０００９】
ゴミ袋にゴミを入れるとき、手で開口が広げられたり、入れるものが開口縁に当たって開口縁に力が加わると、第２掛け部(41)が、回動強制部材(5)の弾力に抗して、第１掛け部(31)に近づく方向に移動し、開口縁に強い力が加わるのを回避する。すなわち開口縁の支持が柔軟であるので、開口縁はスタンドから外れにくく、破れにくい。
【００１０】
第１掛け部(31)に、多数の袋の開口縁部を次々と上重ねして支持し、最上部の第１番の袋の開口縁部を第２掛け部(41)で支持することにより、１つの袋のみが開口して支持され、他の複数の袋は第１掛け部(31)に吊り下がった状態となる。開口した袋にゴミをいれてスタンドから取り外すと、この袋の下にあった第２番の袋の開口縁部を第２掛け部(41)で支持することにより、第２の袋が開口して支持される。このように、多数のゴミ袋を、袋の交換を簡易にすばやくおこなえるように重ね保持することができる。
【００１１】
全ての袋を袋支持スタンドから取り外して、第２基枠(2)を「畳み位置」（図５）に回動させると、袋支持スタンドはコンパクトな折り畳んだ姿勢となり（図５）、収納に場所をとらない。また、運搬自動車に乗せたり降ろしたりの作業が容易になる。
【００１２】
（２）前記弾力性がある圧接部材(32,33)は、第１掛け部(31)に近づく方向に突出するように湾曲した袋押さえ板(32)および該袋押さえ板(32)の表面にあって第１掛け部(31)に掛けられた袋縁部に圧接する弾力部材(33)でなる、上記（１）に記載の袋支持スタンド。
【００１３】
これによれば、袋の上側の開口縁を、弾力部材(33)と第１掛け部(31)の間に差し込んで下方に下げることにより、開口縁の一部が袋口支持機構(3)で挟持される。弾力部材(33)の圧接により袋の滑り摩擦が大きいので、保持が柔軟かつ確実である。
【００１４】
（３）袋口支持機構(3)は更に、前記圧接部材(32,33)に対する第１掛け部(31)の開き間隔を増減する圧接力調整手段(34,35)を含む、上記（１）又は（２）に記載の袋支持スタンド。これによれば、保持対象の袋の材質や厚みに対応して、袋開口縁に対する袋口支持機構(3)の挟持圧力を適値に調整することができる。
【００１５】
（４）第１掛け部(31)は、支持幹(4)の傾動と直交する水平方向(ｘ)に並んだ複数個(31a,31b)である；上記（１）乃至（３）のいずれか１つに記載の袋支持スタンド。
【００１６】
第１掛け部(31)を複数(31a,31b)にすることにより、複数の袋を開口を並べて支持することができる。例えば、第１掛け部(31)の１つ(31a)と第２掛け部(41)で第１の袋の開口縁部を支持してから、第２の袋の開口縁部の一部を第１掛け部(31)のもう１つ(31b)で支持し開口縁部の対向部分を、第１の袋の開口縁部に上重ねして第２掛け部(41)に支持することにより、２つの袋を開口して並べて支持できる。同様に、第１掛け部(31)の数を３又は４とすると３個または４個の袋を開口して並べて支持できる。
【００１７】
（５）第１基枠(1)の裏側で第１基枠(1)で支持された、第２の袋口支持機構(6)を備える；上記（１）乃至（４）のいずれか１つに記載の袋支持スタンド。
【００１８】
これによれば、第１基枠(1)の裏側においても、第２の袋口支持機構(6)で他の袋の開口縁部を支持することができる。この袋には、その開口縁部の一部を手で支えてゴミを入れることができる。
【００１９】
（６）第１基枠(1)に、支持幹(4)の傾動を案内しかつ傾動を所定範囲内に制限する案内穴(7)を設け、該穴(7)内に該傾動の中心となるピン(8)を設け；
支持幹(4)の下端部に、下端面の開口に連なるピン受け穴(42)を設けて、該下端面の開口を通して該ピン受け穴(42)に前記ピン(8)を挿脱するように支持幹(4)を下げ，上げすることにより、第１基枠(1)に支持幹(4)を着脱する構成とした；上記（１）乃至（５）のいずれか１つに記載の袋支持スタンド。
【００２０】
（７）第１基枠(1)および第２基枠(2)の下端部間に、袋の底を下支持する網体(9)を掛け渡した；上記（１）乃至（６）のいずれか１つに記載の袋支持スタンド。
【００２１】
（８）第１基枠(1)および第２基枠(2)の下端にそれぞれ１対のキャスタ(10)を装備した；上記（１）乃至（７）のいずれか１つに記載の袋支持スタンド。
【００２２】
（９）第２基枠(2)の下端に装備した１対のキャスタ(10ra,10rb)は、それぞれロックレバー(10rpa,10rpb)付きのキャスタである；上記（１）乃至（８）のいずれか１つに記載の袋支持スタンド。これによれば、第２基枠(2)の下端に装備した１対のキャスタ(10ra,10rb)にブレーキをかけて、袋支持スタンドを容易には動かないように固定することができ、また、ブレーキを解除して容易に手押し移動できる。
【図面の簡単な説明】
【００２３】
【図１】本発明の１実施例の袋支持スタンドを、袋支持姿勢にして、前方の右側上方から斜めに見下ろした斜視図である。
【図２】図１に示す袋支持スタンドを、後方の左側上方から斜めに見下ろした斜視図である。
【図３】図１と同様に袋支持スタンドを、前方の右側上方から斜めに見下ろした斜視図であるが、支持幹４を第１基枠１から外して示す。
【図４】図１と同様に袋支持スタンドを、前方の右側上方から斜めに見下ろした斜視図であるが、第１基枠１から外した支持幹４を、格納位置に収納した状態を示す。
【図５】図４に示す袋支持スタンドを、第１基枠１の上端を持ち上げることにより、運搬あるいは収納用の「折り畳み」姿勢にして側面を示す拡大斜視図である。
【発明を実施するための形態】
【００２４】
本発明の他の目的および特徴は、図面を参照した以下の実施例の説明より明らかになろう。
【実施例】
【００２５】
図１に、本発明の１実施例を示す。図１は、本発明の１実施例の袋支持スタンドを、スタンド前方の右側上方から見下ろして示すが、図２には該袋支持スタンドを、スタンド後方の左側上方から見下ろして示す。
【００２６】
図１を参照すると、第１基枠１に第２基枠２が枢着されている。本実施例では第２基枠２は、ピン１１を中心に回動可に第１基枠１に結合している。これにより第２基枠２は、第１基枠(1)と近接する「畳み位置」（図５）と、傾斜起立して第１基枠１を傾斜起立姿勢に支える「支持位置」（図１〜図５）に回動できる。
【００２７】
袋支持スタンドを手押し走行するときには、第１基枠１の下端部が走行前方になるので、第１基枠１に装備した一対のキャスタ１０ｆａ（図２），１０ｆｂ（図１）は、車輪ブレーキを装備しないものであるが、走行後方となる第２基枠２の下端部に装備した一対のキャスタ１０ｒａ（図２），１０ｒｂ（図１）は、車輪ブレーキを装備するものであり、それぞれロックレバー１０ｒｐａ，１０ｒｐｂ（図２）を押し下げることにより、車輪が制動状態にロックされる。ロックレバー１０ｒｐａ，１０ｒｐｂを押し上げることにより、車輪が自由回転可となる。
【００２８】
第１基枠１には袋口支持機構３がある。この袋口支持機構３は、袋押さえ板（３２，３３），それに対向する第１掛け部３１および圧接力調整手段（３４，３５）で構成され、袋押さえ板（３２，３３）は、第１基枠１に固着された支持板１２に弓なり形状で両端が支持された、薄くて屈曲性があるアクリル板３２と、該アクリル板に貼り付けた厚いゴム板３３で構成されている。
【００２９】
第１掛け部３１は、本実施例では、切り込みにより１対の分割突起３１ａ，３１ｂを形成したＵ字型の板体であり、各突起３１ａ，３１ｂの裏面に固着した弧状片１３がゴム板３３に当たっている。ゴム板３３に対する弧状片１３の当接圧力は、蝶ナット３５を締め廻しすると強くなり、緩め廻しすると弱くなる。後端部を支持板１２に固定したボルト（図示略）の雄ねじ先端が第１掛け部３１（板体）および座金３４を貫通し、該雄ねじ先端に蝶ナット３５が螺合している。
【００３０】
図２を参照すると、袋口支持機構３と同様な構成の第２の袋口支持機構６が、第１基枠１の上部の、第１の袋口支持機構３の裏側に、備わっている。
【００３１】
図１を再度参照すると、第１基枠１の下端部に、支持幹４が、第１基枠(1)に近づく方向と離れる方向に傾動可に、第１基枠(1)で起立支持されている。支持幹４は、その下端部を中心に、第１基枠１に近づく方向および離れる方向に傾動が可能である。しかし、引張コイルスプリング５によって、離れる方向に強制されており、図示のように右方向に傾斜している。支持幹４の上端部には、半円形板体を張り出した第２掛け部４１がある。
【００３２】
袋口支持機構３のゴム板３３と第１掛け部３１ａ，３１ｂとの間に家庭用ゴミ袋の開口縁部の一部を挿入し、支持幹４を引張コイルスプリング５の引っ張り力に抗して第１基枠１に近づく方向に強制してから、ゴミ袋の開口縁部の、該一部に対向する部分を、第２掛け部４１に被せて下方に引き下げることにより、ゴミ袋を、袋口支持機構３と第２掛け部４１で支持する。これにより、袋の開口は、第１掛け部３１ａ，３１ｂで支持された部分を底辺とし、第２掛け部４１で支持された部分を頂点として引張コイルスプリング４３によって引っ張られた、２等辺３角形形状となり、ゴミ袋は、第１基枠１と第２基枠２の下部においてそれらの間に掛け渡された網体９の上方の袋収容空間に位置する。
【００３３】
袋口支持機構３のゴム板３３と第１掛け部３１ａ，３１ｂの一方例えば３１ａとの間に家庭用ゴミ袋の開口縁部の一部を挿入し、支持幹４を引張コイルスプリング５の引っ張り力に抗して第１基枠１に近づく方向に強制してから、ゴミ袋の開口縁部の、該一部に対向する部分を、第２掛け部４１に被せて下方に引き下げることにより、ゴミ袋を、袋口支持機構３と第２掛け部４１で支持することもできる。これにより、袋の開口は、第１掛け部３１ａと第２掛け部４１で支持され引張コイルスプリング４３によって引っ張られた、長方形あるいは平行四辺形となる。この状態でさらに、第２のゴミ袋を第１掛け部３１ｂと第２掛け部４１に掛けると、２つのゴミ袋が口を開けて支持される。
【００３４】
なお、第１掛け部３１ａ，３１ｂの両方に渡して、又はそれぞれに、数枚のゴミ袋を、口を開けて引っ掛けて重ねて、最上部のゴミ袋の開口のみを第２掛け部４１に引っ掛けておくことにより、最上部のゴミ袋をゴミ収納後に取り外し、その下にあった予備のゴミ袋の開口を第２掛け部４１に引っ掛けることにより、使用するゴミ袋を簡易にしかも素早く交換することができるし、予備のゴミ袋の携帯が簡易になる。
【００３５】
また、予備のゴミ袋（の開口）を、図２に示す第２の袋口支持機構６に引っ掛けて携行することができ、また、第２の袋口支持機構６に引っ掛けた最上部のゴミ袋に、その開口縁の一部を手で支えて、ゴミを入れることもできる。ゴミ袋の下底を、下支持板１５および網体８が支える。それぞれを袋口支持機構３，６の第１掛け部３１ａ，３１ｂ，６１ａ，６１ｂに、開口を開けて引っ掛け保持した、合計４枚のゴミ袋に、４種のゴミの各種を分別収集することができる。
【００３６】
図３に、第１基枠１から支持幹４を上方に引き上げて分離した状態を示す。なお、支持幹４は単に上方に引き上げることにより、図３に示すように第１基枠１から分離するが、支持幹４は、引張りコイルスプリング５の下端を第１基枠１からコの字状に張り出したばね支持枠１４から外してから上方に引き上げることにより、図３に示すように基台１から分離する。なお、引っ張りコイルスプリング５は、ゴムバンドに置換することも出来る。
【００３７】
第１基枠１の下端部中央には、支持幹４の下端部を受け入れるガイド穴となる案内穴７が空いており、そこに、ピン８が配置されて第１基枠１と一体に固定されている。支持幹４の下端には、このピン８を受け入れる開口が連続するピン受け穴４２がある。該ピン受け穴４２にピン８を受け入れて、支持幹４を第１基枠１に立てることにより、支持幹４が第１基枠１に対して、ピン８を中心に傾動可となる。支持幹４は、図１に示す装着状態になる。
【００３８】
第１基枠１から支持幹４を上方に引き上げて分離してから、支持幹４の下端を、図３に示す収納支持枠１６の内空間に通すことにより、図４に示すように、第１基枠１に支持幹４を収納することができる。
【００３９】
ゴミ袋の全てを取り去って、図４に示すように第１基枠１に支持幹４を収納した状態で、第１基台１の上端の横梁を握って袋支持スタンドを持ち上げると、重力により、第２基枠２が、第１基台１と略平行に垂れ下がる。これが「折り畳み」姿勢であり、この姿勢を図５に示す。この姿勢はコンパクトであるので、収納や運搬に場所をとらない。トラックや乗用車による運搬作業が容易である。
【符号の説明】
【００４０】
１：第１基枠
２：第２基枠
３：袋口支持機構
３１(31a,31b)：第１掛け部
３２：袋押さえ板（圧接部材）
３３：弾力部材  （圧接部材）
３４：座金    （圧接力調整手段）
３５：蝶ナット（圧接力調整手段）
４：支持幹
４１：第２掛け部
４２：ピン受け穴
５：引張りコイルスプリング（回動強制部材）
６：第２の袋口支持機構
７：案内穴
８：ピン
９：網体
１０(10fa,10fb,10ra,10rb)：キャスタ
１０ｒｐａ，１０ｒｐｂ：ロックレバー
１１：ピン
１２：支持板
１３：弧状片
１４：ばね支持枠
１５：下支持板
１６：収納支持枠
【図１】
2011020799.tif 000003
【図２】
2011020799.tif 000004
【図３】
2011020799.tif 000005
【図４】
2011020799.tif 000006
【図５】
2011020799.tif 000007